(57)【要約】  上部、下部熱板の熱によって小さい高さ偏差で出没可能な耐熱性シリコン材質の緩衝部材が具備されたヘアーアイロンを提供する。  本発明の一実施例によるヘアーアイロンは、下部グリル部と、下部ヒータが内蔵された下部加熱部が一体に具備され、前記下部加熱部の上端に毛髪に熱を加える下部熱板が具備された下部ケース；及び上部グリル部と、上部ヒータが内蔵された上部加熱部が一体に具備され、前記上部加熱部の下端に毛髪に熱を加える上部熱板が具備され、前記下部ケースにヒンジ結合される上部ケース；を含み、前記下部熱板の上面両側の長さ方向に沿って挿入溝がそれぞれ形成され、前記挿入溝に緩衝部材が出没可能に具備されたことを特徴とする。本発明によれば、髪の毛が下部熱板と緩衝部材の間で押さえられながら熱が加えられる際、耐熱性シリコンで構成される緩衝部材の軟らかい性質によって加圧されながら巧く押さえられるとともにスムーズに滑って曲がった髪の毛をまっすぐにすることによってカールが円滑にまっすぐになり、下部熱板で発散された熱によって緩衝部材の上端が挿入溝から膨らんで下部熱板の表面から突出されることによって髪の毛が前記緩衝部材の外側面に沿って滑らかにまっすぐになり、下部熱板と上部熱板の間の隙間の発生を減らすことができる。また、カールをまっすぐにする時、所定高さで突出される緩衝部材によって髪の毛が下部熱板に直接接触することを防止することによって、加熱された状態の下部熱板と上部熱板によって髪の毛が損傷する現象が解消できる。また、濡れた髪の毛をまっすぐにする時も髪の毛の水分が前記緩衝部材と挿入溝の間を介して挿入溝の内部に流入しても、挿入溝の両側に備えられたストッパによって漏水が防止された状態で上部、下部熱板の発熱作用によって前記水分を挿入溝の内部で蒸発させることができ、ヘアーアイロンの未使用時に緩衝部材が外部に露出されないので外部の美観を向上させるとともに、緩衝部材の損傷を防止できる。
2012519568.tif 000002
【特許請求の範囲】
【請求項１】
下部グリル部と、下部ヒータが内蔵された下部加熱部が一体に具備され、前記下部加熱部の上端に毛髪に熱を加える下部熱板が具備された下部ケースと、及び
上部グリル部と、上部ヒータが内蔵された上部加熱部が一体に具備され、前記上部加熱部の下端に毛髪に熱を加える上部熱板が具備され、前記下部ケースにヒンジ結合されてなる上部ケースとを備えてなり、
前記下部熱板の上面両側の長さ方向に沿って挿入溝がそれぞれ形成され、前記挿入溝に緩衝部材が出没可能に具備されてなることを特徴とする、ヘアーアイロン。
【請求項２】
前記緩衝部材は前記挿入溝から離脱されないようにするために下端の幅が上端の幅より広い
2012519568.tif 000005
形状の断面を有することを特徴とする、請求項１に記載のヘアーアイロン。
【請求項３】
前記挿入溝の両端部には、
挿入溝と同じ形状の断面を有するストッパが挿入されたことを特徴とする、請求項２に記載のヘアーアイロン。
【請求項４】
前記緩衝部材及びストッパが、
耐熱性シリコン材質を有することを特徴とする、請求項２又は３に記載のヘアーアイロン。
【請求項５】
下部グリル部と、下部ヒータが内蔵された下部加熱部が一体に具備され、前記下部加熱部の上端に毛髪に熱を加える下部熱板が具備された下部ケースと、及び
上部グリル部と、上部ヒータが内蔵された上部加熱部が一体に具備され、前記上部加熱部の下端に毛髪に熱を加える上部熱板が具備され、前記下部ケースにヒンジ結合される上部ケースとを備えてなり、
前記下部熱板の上面と、前記上部熱板の下面の両側の長さ方向に沿って挿入溝がそれぞれ形成され、前記挿入溝に耐熱性シリコン材質の緩衝部材が出没可能に具備されたことを特徴とする、ヘアーアイロン。
【請求項６】
前記挿入溝の両端部には、
前記挿入溝と同じ形状の断面と材質を有するストッパが挿入されたことを特徴とする、請求項５に記載のヘアーアイロン。
【発明の詳細な説明】
【技術分野】
【０００１】
本発明はヘアーアイロンに関し、特に電源の供給によって上部、下部熱板が加熱されながら前記上部、下部熱板の挟持動作によって毛髪を整えるヘアーアイロンにおいて、前記上部、下部熱板の少なくともいずれか一側にヘアーアイロンの使用又は未使用によって上部、下部熱板の熱によって小さい高さ偏差で出没（出入）可能な耐熱性シリコン材質の緩衝部材が具備されたヘアーアイロンに関する。
【背景技術】
【０００２】
一般に美容室又は床屋などのようなヘアーショップ（ｈａｉｒ  ｓｈｏｐ）で毛髪をウェーブ（ｗａｖｅ）、ストレート（ｓｔｒａｉｇｈｔ）、カール（ｃｕｒｌ）などのように手入れするために毛髪に熱を加えるヘアーアイロンを使用しており、このヘアーアイロンは様々な形態として様々に提案されている。
【０００３】
図１及び図２において、下部ケース１０は下部グリル部１１と、後述する下部ヒータが内蔵される下部加熱部１２が一体に射出成形されている。
【０００４】
前記下部グリル部１１の端部には電源を供給する電線Ｗが連結され、下部グリル部１１の両側面には後述するヒンジ部が収容され、前記電線Ｗを固定させるとともに電線Ｗが損傷した場合、これを速かに交換するために固定ケース２０が前記下部グリル部１１と組み立て及び分解される。
【０００５】
また、前記下部加熱部１２に下部熱板４０が固設され、下部熱板の下面には前記電線Ｗを介して印加される電源によって熱を発生させる下部ヒータ４１が設置されている。
【０００６】
また、上部ケース５０は上部グリル部５１と、後述する上部ヒータが内蔵される上部加熱部５２が一体に射出成形されている。
【０００７】
また、前記上部加熱部５２に上部熱板７０が固設され、その上面には前記電線Ｗを介して印加される電源によって熱を発生させる上部ヒータ７１が設置されている。
【０００８】
一方、このような従来のヘアーアイロンはそれぞれ金属材質を有する前記下部熱板４０と上部熱板７０とが互いに接する構造でありヘアーアイロンの使用時に髪の毛を巧く掴むことができないため髪の毛が切れ 、下部熱板４０と上部熱板７０との間に隙間が発生する問題点があった。
【０００９】
また、加熱された前記金属製の下部熱板４０と上部熱板７０によって髪の毛が損傷する問題点があった。
【００１０】
このような問題点を解決するために、本出願人は２００５年３月２日に「緩衝部材が付着されたヘアーアイロン」（特許文献１）」を出願しており、これは図３及び図４に示すように、熱線ヒータ１３０、２３０が内蔵されたスチール板１２０、２２０がそれぞれ付着される第１加圧部材１００及び第２加圧部材２００を備え、前記それぞれの対向するスチール板１２０、２２０のうち第２加圧部材２００に付着されたスチール板２２０に緩衝部材４００が付着されている。
【００１１】
この時、前記緩衝部材４００はスチール板２２０の表面に付着してもよく、スチール板２２０の表面に溝２２０ａを形成し前記溝に挿入されて離脱されないようにしてもよい。すなわち、前記緩衝部材４００は溝２２０ａから離脱されないように下部に突出部４００ａを有しており、突出部４００ａが溝２２０ａに挿入されて離脱されないように構成されている。
【００１２】
しかし、このような従来のヘアーアイロンは前記緩衝部材４００が第２加圧部材２００の表面から所定高さで常に突出しているためカールをまっすぐにする過程で髪の毛が前記緩衝部材４００に引っ掛かる現象が発生し、これによりカールをまっすぐにする作業が円滑に進められない問題点があった。
【００１３】
また、前記緩衝部材４００が所定高さで常に突出しているため外部の美観を損ね、その材質上外部の衝撃によって容易に損傷する問題点があった。
【００１４】
また、髪の毛が前記突出された状態の緩衝部材４００に引っ掛かって損傷が発生する問題点があった。
【先行技術文献】
【特許文献】
【００１５】
【特許文献１】韓国登録特許第０５９６７０４号公報
【発明の概要】
【発明が解決しようとする課題】
【００１６】
本発明は、上述した従来の技術の問題点を解決するために創案されたものであり、本発明の目的は、髪の毛が下部熱板と緩衝部材の間で押さえられながら熱が加えられる際、耐熱性シリコンで構成される緩衝部材の軟らかい性質によって加圧されながら巧く押さえられるとともにスムーズに滑って曲がった髪の毛をまっすぐにすることによってカールが円滑にまっすぐになるヘアーアイロンを提供することにある。
【００１７】
本発明の他の目的は、下部熱板で発散された熱により緩衝部材の上端が挿入溝から膨らんで下部熱板の表面から突出されることによって髪の毛が前記緩衝部材の外側面に沿って滑らかにまっすぐになり、下部熱板と上部熱板の間の隙間の発生を減らすことができるヘアーアイロンを提供することにある。
【００１８】
本発明のさらに他の目的は、カールをまっすぐにする時、所定高さで突出される緩衝部材によって髪の毛が下部熱板に直接接触することを防止することによって、加熱された状態の下部熱板と上部熱板によって髪の毛が損傷する現象が解消できるヘアーアイロンを提供することにある。
【００１９】
本発明のさらに他の目的は、濡れた髪の毛をまっすぐにする時も髪の毛の水分が前記緩衝部材と挿入溝の間を介して挿入溝の内部に流入しても、挿入溝の両側に備えられたストッパによって漏水が防止される状態で上部、下部熱板の発熱作用によって前記水分を挿入溝の内部で蒸発させることができるヘアーアイロンを提供することにある。
【００２０】
本発明のさらに他の目的は、ヘアーアイロンの未使用時の外部の美観を向上させるとともに、緩衝部材の損傷を防止できるヘアーアイロンを提供することにある。
【００２１】
本発明の目的は上述した目的に限定されず、言及されていない他の目的は以下の記載から当業者に明確に理解されることができる。
【課題を解決するための手段】
【００２２】
上記した本発明の目的は、下部グリル部と、下部ヒータが内蔵された下部加熱部が一体に具備され、前記下部加熱部の上端に毛髪に熱を加える下部熱板が具備された下部ケース；及び上部グリル部と、上部ヒータが内蔵された上部加熱部が一体に具備され、前記上部加熱部の下端に毛髪に熱を加える上部熱板が具備され、前記下部ケースにヒンジ結合される上部ケース；を含み、前記下部熱板の上面両側の長さ方向に沿って挿入溝がそれぞれ形成され、前記挿入溝に緩衝部材が出没可能に具備されたことを特徴とするヘアーアイロンによって達成される。
【００２３】
好ましくは、このような本発明で、前記緩衝部材は前記挿入溝から離脱されないようにするために下端の幅が上端の幅より広い
2012519568.tif 000003
形状の断面を有することを特徴とする。
【００２４】
また、このような本発明で前記挿入溝の両端部には、挿入溝と同じ形状の断面を有するストッパが挿入されたことを特徴とする。
【００２５】
また、このような本発明で前記緩衝部材及びストッパは、耐熱性シリコン材質を有することを特徴とする。
【００２６】
一方、前記本発明の目的は、下部グリル部と、下部ヒータが内蔵された下部加熱部が一体に具備され、前記下部加熱部の上端に毛髪に熱を加える下部熱板が具備された下部ケース；及び上部グリル部と、上部ヒータが内蔵された上部加熱部が一体に具備され、前記上部加熱部の下端に毛髪に熱を加える上部熱板が具備され、前記下部ケースにヒンジ結合される上部ケース；を含み、前記下部熱板の上面と、前記上部熱板の下面の両側の長さ方向に沿って挿入溝がそれぞれ形成され、前記挿入溝に耐熱性シリコン材質の緩衝部材が出没可能に具備されたことを特徴とするヘアーアイロンによって達成される。
【発明の効果】
【００２７】
前記のような本発明のヘアーアイロンによれば、次のような効果がある。
【００２８】
第一に、髪の毛が下部熱板と緩衝部材の間で押さえられながら熱が加えられる際、耐熱性シリコンで構成される緩衝部材の軟らかい性質によって加圧されながら巧く押さえられるとともにスムーズに滑って曲がった髪の毛をまっすぐにすることによってカールが円滑にまっすぐになる。
【００２９】
第二に、下部熱板で発散された熱により緩衝部材の上端が挿入溝から膨らんで下部熱板の表面から突出されることによって髪の毛が前記緩衝部材の外側面に沿って滑らかにまっすぐになり、下部熱板と上部熱板の間の隙間の発生を減らすことができる。
【００３０】
第三に、カールをまっすぐにする時、所定高さで突出される緩衝部材によって髪の毛が下部熱板に直接接触することを防止することによって、加熱された状態の下部熱板と上部熱板によって髪の毛が損傷する現象が解消できる。
【００３１】
第四に、濡れた髪の毛をまっすぐにする時も髪の毛の水分が前記緩衝部材と挿入溝の間を介して挿入溝の内部に流入しても、挿入溝の両側に備えられたストッパによって漏水が防止される状態で上部、下部熱板の発熱作用によって前記水分を挿入溝の内部で蒸発させることができる。
【００３２】
第五に、ヘアーアイロンの未使用時の外部の美観を向上させるとともに、緩衝部材の損傷を防止できる。
【００３３】
本発明の効果は以上で言及した効果に限定されず、言及されていない他の効果は特許請求の範囲の記載から当業者に明確に理解されることができる。
【図面の簡単な説明】
【００３４】
【図１】従来のアーアイロンの一例を示す斜視図である。
【図２】図１に示すヘアーアイロンの内部構造を示す断面図である。
【図３】従来の緩衝部材が具備されたヘアーアイロンの断面図である。
【図４】従来の緩衝部材が具備されたヘアーアイロンの断面図である。
【図５】本発明の一実施例によるヘアーアイロンを示す斜視図である。
【図６】図５に示すヘアーアイロンの部分分離斜視図である。
【図７】図５のＡ−Ａ線断面図である。
【図８】図５のＢ−Ｂ線断面図である。
【図９】本発明の使用状態を示す断面図である。
【発明を実施するための形態】
【００３５】
以下、添付された図面を参照して本発明の好ましい実施例によるヘアーアイロンを説明する。ちなみに本発明を説明するにあたり、関連した公知機能又は構成に対する具体的な説明が本発明の要旨を不要に不明確にするおそれがあると判断される場合にはその詳細な説明を省略する。
【実施例】
【００３６】
図５は、本発明の一実施例によるヘアーアイロンを示す斜視図で、図６は、図５に示すヘアーアイロンの部分分離斜視図であり、図７は、図５のＡ−Ａ線断面図である。
【００３７】
また、図８は、図５のＢ−Ｂ線断面図で、図９は、本発明の使用状態を示す断面図であり、本発明で従来の技術と同じ機能を行う構成要素には図１及び図２に示す構成要素による図面符号を付している。
【００３８】
図５及び図６に示すように、下部ケース１０は手で掴むことができる下部グリル部１１と、下部ヒータ（図示せず、図２の４１参照）が内蔵される下部加熱部１２が一体に射出成形されたもので、上面が開放され下面は密閉されている。
【００３９】
前記下部グリル部１１の端部には電源を供給する電線Ｗが連結され、下部グリル部１１の両側面にはヒンジ部６２が収容され、前記電線Ｗを固定させるとともに電線Ｗが損傷する場合これを速かに交換するために固定ケース２０が前記下部グリル部１１と組み立て及び分解可能に装着される。
【００４０】
また、前記固定ケース２０に接して前記下部ケース１０の内部が露出されないように下部ケース１０を閉鎖させる下部閉鎖部材３０が具備され、前記下部加熱部１２の上端に下部熱板４０が固設され、下部熱板の下面には前記電線Ｗを介して印加される電源によって熱を発生させる下部ヒータ（図２の４１）が設置されている。
【００４１】
また、上部ケース５０は手で掴むことができる上部グリル部５１と、上部ヒータ（図示せず、図２の７１参照）が内蔵される上部加熱部５２が一体に射出成形されたもので、上面が密閉され下面は開放されている。
【００４２】
また、前記上部加熱部５２の下端に上部熱板７０が固設され、上部熱板の上面には前記電線Ｗを介して印加される電源によって熱を発生させる上部ヒータ（図２の７１）が設置されている。
【００４３】
本発明では図７及び図９に示すように、前記下部熱板４０の上面両側の長さ方向に沿って所定深さを有する台形断面の挿入溝４０ａがそれぞれ形成され、前記挿入溝４０ａに所定厚さと長さを有する緩衝部材８０が挿入されている。
【００４４】
この時、前記緩衝部材８０は前記挿入溝４０ａから容易に離脱されないようにするために下端の幅が上端の幅より広い
2012519568.tif 000004
形状の断面を有することが好ましい。
【００４５】
一方、前記挿入溝４０ａの両端部には図８に示すように、台形断面を有する耐熱性シリコン材質のストッパ（ｓｔｏｐｐｅｒ）９０が挿入されている。
【００４６】
前記緩衝部材８０と、ストッパ９０は１００〜２３０℃の温度範囲まで耐えることができる耐熱性シリコン材質の他にも弾性を有しながら熱に耐えることができる物質であれば適用が可能で、炭素やセラミック粉などのような異物を混合して使用することもできる。
【００４７】
また、図示していないが、前記挿入溝４０ａ、緩衝部材８０、ストッパ９０は前記下部熱板４０はもちろん、前記上部熱板７０にも適用することができ、図５、図６で説明されていない符号３５は上部ケース５０と、下部ケース１０との間の間隔を維持するための突起である。
【００４８】
以下、前記のような構成を有する本発明の作用を説明する。
【００４９】
本発明によるヘアーアイロンによって髪の毛をまっすぐにしようとする場合、図５に示すように、使用者は前記電線Ｗを電源に連結して前記下部ヒータ４１、上部ヒータ７１の発熱によって下部熱板４０、上部熱板７０を加熱させる。
【００５０】
その後、使用者は髪の毛を前記下部熱板４０、上部熱板７０の間に位置させた後、下部加熱部１２、上部加熱部５２の外側を手で押さえながら引っ張る。
【００５１】
この時、前記緩衝部材８０は図７に示すように、当初は下部熱板４０に埋め込まれた状態にあったものが、電源の供給によって加熱される前記下部ヒータ４１の発熱作用によって図９に示すように、緩衝部材８０の上端が挿入溝４０ａから膨らんで下部熱板４０の表面から所定高さで突出される（図９のＰ参照）。
【００５２】
この時、髪の毛は上部熱板７０と前記緩衝部材８０の間で押さえられながら熱が加えられ、前記緩衝部材８０は熱によく耐えながらも若干押さえられる弾性を持つので髪の毛は耐熱性シリコンの軟らかい性質によって加圧されながら巧く押さえられるとともにスムーズに滑って曲がった髪の毛をまっすぐにすることができる。
【００５３】
また、耐熱性シリコンの押さえられる性質によって緩衝部材８０と上部熱板７０の間に隙間が生じる現象が解消できる。
【００５４】
このようにすることで、下部熱板４０の上面の両側に緩衝部材８０の上端が従来に比べて小さい高さ偏差で膨らんだ状態で髪の毛は前記緩衝部材８０の外側面に沿ってスムーズにまっすぐになるので、従来とは異なって髪の毛が下部熱板４０、上部熱板７０の間に挟まれて損傷する現象が解消できるようになる。
【００５５】
また、髪の毛が前記緩衝部材８０によって下部熱板４０に直接接触しないので、加熱された状態の下部熱板４０と上部熱板７０によって髪の毛が損傷する現象を解消することができ、前記緩衝部材８０は繰り返し使用によって損傷が発生する場合、挿入溝４０ａから取り出した後、新品に入れ替えて使用する。
【００５６】
一方、濡れた状態の髪の毛をまっすぐにする過程で髪の毛の水分が前記緩衝部材８０と挿入溝４０ａの間を介して挿入溝の内部に流入すると、前記水分は前記ストッパ９０によって挿入溝４０ａの両側に漏水が防止された状態で溜まり、このような状態で前記下部熱板４０、上部熱板７０の発熱作用によって挿入溝４０ａの内部で蒸発される。
【００５７】
一方、カールをまっすぐにすることが完了すると、使用者によって電源の供給が遮断されることによって前記下部ヒータ４１の発熱現象が停止し、これにより図７に示すように、緩衝部材８０の上端は挿入溝４０ａの内部に挿入される。
【００５８】
一方、ヘアーアイロンの未使用時に前記緩衝部材８０は下部熱板４０から突出されず、挿入溝４０ａに挿入されているので外部の美観が向上し、軟らかい材質を有する前記緩衝部材８０が外部の衝撃によって損傷する現象が解消できる。
【００５９】
以上のように本発明によるヘアーアイロンを例示した図面を参照しながら説明したが、本明細書に開示された実施例と図面によって本発明は限定されず、その発明の技術思想の範囲内で当業者によって様々な変形が可能であることは無論である。
【符号の説明】
【００６０】
１０：下部ケース
１１：下部グリル部
１２：下部加熱部
２０：固定ケース
４０：下部熱板
４０ａ：挿入溝
４１：下部ヒータ
５０：上部ケース
５１：上部グリル部
５２：上部加熱部
７０：上部熱板
７１：上部ヒータ
８０：緩衝部材
９０：ストッパ
【図１】
2012519568.tif 000006
【図２】
2012519568.tif 000007
【図３】
2012519568.tif 000008
【図４】
2012519568.tif 000009
【図５】
2012519568.tif 000010
【図６】
2012519568.tif 000011
【図７】
2012519568.tif 000012
【図８】
2012519568.tif 000013
【図９】
2012519568.tif 000014
【国際調査報告】
2012519568.tif 000015
2012519568.tif 000016
2012519568.tif 000017
2012519568.tif 000018